(57)【要約】      （修正有）【課題】プレス装置の操作盤を移動可能な装着台上に取り付け、装置本体から離れた位置で操作可能とすることにより、作業安全及び能率向上を図るとともに、装着台に工具等を収納可能とする。【解決手段】キャスター５を備えた台車からなる装着台１上に操作盤Ｓを取り付け、操作盤Ｓとプレス本体とをケーブルで接続することにより、任意の位置でプレス装置の操作を可能にしたものである。装着台１の内部の空間は工具等の収納庫となるが、中間位置に棚板１３を設け、あるいは背板７や側板９の壁面に吊り下げ手段用取付け孔７ｃ、９ｂを設ける。背板や側板の適当な位置には工具の出し入れ用窓部７ｂ，９ａが設ける。操作の際における作業者の移動距離を少なくし、腰を曲げて操作する必要もなくなるので、作業者の疲労を軽減するとともに安全かつ作業能率を向上させる。【選択図】図１
0003117748.tif 000002
【実用新案登録請求の範囲】
【請求項１】
下面に複数のキャスターを取り付けてある底板と、
上記底板の後端部に下端部を固着した状態で立ち上げてなる背板と、
上記底板の両側部に各下端部を固着した状態で立ち上げてなる１対の側板と、
上記背板及び各側板の上端部に設けてある操作盤取付け用台板と、
を備えていることを特徴とする移動式操作盤装着台。
【請求項２】
上記背板及び／又は上記側板の任意の位置には複数の工具等の吊り下げ手段用取付け孔が設けてあることを特徴とする請求項１に記載した移動式操作盤装着台。
【請求項３】
上記背板及び上記側板によって囲まれた内部の任意の位置には少なくとも１枚の棚板が設けてあることを特徴とする請求項１又は請求項２のいずれかに記載した移動式操作盤装着台。
【請求項４】
上記背板及び／又は上記側板の任意の位置には複数の工具等出し入れ用の窓部が設けてあることを特徴とする請求項１ないし請求項３のいずれかに記載した移動式操作盤装着台。
【考案の詳細な説明】
【技術分野】
【０００１】
本考案は例えばプレス装置の操作盤を装着して任意の位置で、安全にプレス装置の操作ができるようにしたいわゆる移動式操作盤装着台に関するものである。
【背景技術】
【０００２】
打ち抜き用プレスの構成には種々あるが、一般的な構成の概要は、図６に示すように、プレス本体５１の盤板５３上及びラム（図示略）に金型５５を取り付けたものからなる。このようなプレス装置に、フープ状の帯鋼を引き出した状態の素材Ｍを、間欠運動により金型５５の間を通過させ、素材Ｍの停止時間帯にラムの昇降動作により製品Ｐの打ち抜きを行い、順次スクラップとなった素材の残骸は、スクラップ巻き取り装置５７によって巻き取られるようになっている。なお、スクラップには打ち抜き工程において送り出しピッチの長さに切断されてから回収するものなどもある。製品Ｐは素材の移動方向に対して直角方向に設けられた製品回収コンベア５９によってプレス装置の手前側に設置された回収ボックス６１に回収可能としてある。
【０００３】
周知の通り、プレス装置は作業者にとって危険性が非常に高いことから種々の安全対策が採られているが、そのうちの代表的なものとして操作盤がある。これは作業者Ｗが危険な部位から離れた位置にある操作盤Ｓによってプレス装置を操作可能とし、作業安全の確保を図ったものである。したがって、プレス装置の始動・停止その他の操作は操作盤にのみよって行われることから、作業者の手や頭等が危険な部位にある間は絶対に装置が動かないように、または動いているものは停止するようにしたものである。更に作業上の安全を期するために、作業者Wがプレス本体５１に接近しようとすると、これを検知してプレス装置を停止させる光センサ装置６５などが設けてある。
【０００４】
一般に操作盤Sは、図示してあるように、通常はプレス本体５１の正面又は側部に固定されているが、危険防止あるいは作業能率向上のために、設置場所を工夫しているものがある。例えばトランスファープレス装置に適用したものであるが、フィードバーの側方を囲う安全柵に操作盤を取り付け、これをフィードバーの移動方向に沿って移動自在としたものがある（特許文献１）。これにより作業者の視野が制限されることがなくなり、作業能率を向上可能としたものである。また、別の文献では、これはプラスチックの射出成形機に関するものであるが、これまで操作盤が成形機本体の正面側や側部に取り付けられていることにより、ノズルやスクリューの交換の障碍となっていた。そこで、固定盤面と操作盤面を複数の支持板で蝶着し、操作盤を固定盤の側方で移動自在とすることにより、加熱筒が旋回したときの作業を容易にしたものが記載されている（特許文献２）。また、特許文献３には、大型のプレス装置を備えたワーク加工設備の複雑な動作を遠隔の任意の位置から信頼性を確保して確実かつ長時間にわたって操作が可能な補助操作装置が記載されている。
【０００５】
【特許文献１】実開平７−９５９８号公報
【特許文献２】実登第３０３４６４０号
【特許文献３】実登第３１０９１２７号
【考案の開示】
【考案が解決しようとする課題】
【０００６】
図６に示すような通常のプレス装置においては、操作盤の操作のためにプレス本体に近づかなければならないことから、作業者の移動量が大きくなるため作業能率を損なうほか、光センサ６５の検知エリアには入らなければならないので、プレス装置を停止させる必要のない操作を行う際にも停止してしまう難がある。また、金型の交換に際して金型を積載したフォークリフト等が接近した場合、誤って操作盤に接触してこれを破損してしまう危険がある。なお、この操作盤はプレスの操作だけに用いるものであるので、工具入れや潤滑剤の保管などの用途には対応していないので工具の保管等には別の設備を必要とすることになる。
【０００７】
特許文献１については、トランスファープレス装置を対象とするものであるため、装置が大きくなり、通常のプレス装置には適さないものが多い。また、特許文献２については、射出成形機に適用したものであるので、プレス装置の安全や作業効率の向上には対応が不十分である。特許文献３については、主として作業者が補助装置（操作盤）を携帯して操作するものであるので、小形軽量であることに特徴がある。したがって、工具等を収納するような機能は全く考慮外である上に、常時携帯していると他の作業に支障が生じることになる。また、不使用時にはどこか適当な台などの上に置く必要があるなど管理が面倒である等の問題がある。本考案は、プレス装置の作業安全及び作業能率の向上を実現するほか、作業環境の改善を実現しようとするものである。
【課題を解決するための手段】
【０００８】
上記の課題を解決するために、本考案の移動式操作盤装着台（以下「装着台」という。）は、以下の手段を採用することにより以下の作用効果を奏するようにした。請求項１に記載した考案の構成は、下面に複数のキャスターを取り付けてある底板と、この底板の後端部に下端部を固着した状態で立ち上げてなる背板と、この底板の両側部に各下端部を固着した状態で立ち上げてなる１対の側板と、上記の背板及び各側板の上端部に設けてある操作盤取付け用台板とを備えているところに特徴がある。操作盤を、キャスターを備えた装着台に装着することにより、所望の位置に操作盤を置くことが可能になる。これにより作業が容易となる上に、操作盤を操作する際に作業者が光センサを横切る必要がなくなることからプレス装置を無用に停止させることもなくなるので、作業能率が向上する。装着台をプレス装置の前部に設けてあるものではないので、金型交換などの際にフォークリフト等が操作盤に衝突するようなこともなくなる。
【０００９】
請求項２に記載した考案の装着台は、上記の背板及び／又は上記の側板の任意の位置に、複数の工具等の吊り下げ手段用取付け孔が設けてあるところに特徴がある。この装着台は、背板と両側の側板及び底板と台板とにより囲まれてなる空間が形成され、この空間は工具等の収納スペースとなる。しかし、工具等を雑然と収納したのでは収納量に限度がある上に、出し入れに不便であることから、吊り下げ可能な工具等はなるべく出し入れしやすい位置に吊り下げることができるようにしてある。吊り下げ手段としては、上記の取付け孔に固定可能な棒状体であれば何でもよいが、ねじ込み式にすれば着脱が容易となるので、任意の位置に付け替えができて便利になる。
【００１０】
請求項３に記載した考案の装着台は、上記の背板及び上記の側板によって囲まれた内部の任意の高さ位置には、少なくとも１枚の棚板が設けてあるところに特徴がある。装着台の台板の下方に形成される空間は、上下にわたってかなりの大きさになるので、中間に棚板を設けて工具等の収納スペースとなし空間の有効利用を図り、かつ工具等の出し入れを容易化してある。
【００１１】
請求項４に記載した考案の装着台は、上記の背板及び／又は上記した側板の任意の位置には、複数の工具等出し入れ用の窓部が設けてあるところに特徴がある。収納スペースとなる空間は、前面側は開口となっているので、前面側から工具等を出し入れすることは容易であるが、背板側が塞がれていると、背後から出し入れすることができない。そこで、背板や側板の任意の位置に工具出し入れ用の窓部を設けることにより、任意の位置から工具等の出し入れを可能にしてある。
【考案の効果】
【００１２】
本考案に係る装着台は、プレス装置などの操作盤を移動可能な装着台に取り付け、作業者の作業しやすい任意の位置に置くことができるので、作業が容易化することはもとより、操作のために作業者が光センサの検知範囲を横切ることがなくなるので、装置の無用の停止を回避可能となる。また、金型の交換などの際にフォークリフトなどが接近した場合にも、操作盤と衝突するおそれがないので、安心して金型交換作業ができる。また、装着台の内部は工具等を収納可能な空間となっているが、背板や側板の任意の位置に、工具等の吊り下げ手段を介して収納スペース内に吊り下げ手段を取り付ければ、工具等を手元に常時保管できるので便利である。装着台の収納スペース内に棚板を設けるようにすれば、工具等の収納能力を向上させることができる他、手の届きやすい位置に工具等を載置可能となるので、作業効率の向上が期待できる。さらに、背板や側板の任意位置に工具の出し入れ用窓部を設けるようにすれば、あらゆる方向から工具の出し入れが可能となるので、作業能率を向上させることができる。
【考案を実施するための最良の形態】
【００１３】
図１は本考案の最良の形態として組み立てられた装着台を斜視図で示したものである。図２は同じく正面図であり、図３は平面図、図４は側面図である。また、図５は装着台を使用している状態例を示す説明図であり、図６は従来技術における操作盤の設置例を示す説明図である。
【００１４】
図１に示すように、装着台１は、箱形に形成してあり、箱形を構成する各板は鋼板同士を溶接により互いに接合してある。底板３は厚さ３．２ｍｍの鋼板を長方形に形成したものを採用し、４か所にキャスター５，…が各４個のナット６，…を介して取り付けてある。底板３の長辺の一方には厚さ１．６ｍｍの鋼板からなる背板７の下端部が固着してあり、垂直に立ち上げて内外を仕切ってある。背板７の上端部は前方へ直角に折り曲げて操作盤Ｓを取り付けるための台板８としてある。背板７の下半部には第１窓部７ａが設けてあるとともに、上半部から台板８にまたがる位置には第２窓部７ｂが設けてある（図２参照）。各窓部は任意の位置から工具等を出し入れ容易にするために設けたものである。台板８の前端部には湾状の切欠部８ａが形成してあることにより、操作盤Sの下面に接続するケーブルの設置を妨げないようにしてある（図３参照）。背板７の上半部の任意位置には、工具等の吊り下げ手段を取り付けるための複数の取付け孔７ｃ，…が設けてある。各取付け孔７ｃは、雌ねじを刻設したねじ棒をねじ込むようにしてある。あるいはこれらの取付け孔を透孔とし、ナットとボルトによって吊り下げ手段を取り付けるようにしてもよい。
【００１５】
底板３の各短辺には、厚さ１．６ｍｍの鋼板からなる側板９，９の下端部が固着してあり、いずれも垂直に立ち上げて内外を仕切ってある。各側板９，９の上端部は水平になっており、それぞれの上端部には上記の台板８の下面が当接して固着してある。各側板９の下半部には、第１窓部、第２窓部と同様の働きをする第３窓部９ａ，９ａが設けてある。また、各側板９の上半部には、背板７と同様の複数の取付け孔９ｂ，…が設けてある。
【００１６】
台板８には、前端部の切欠部８ａを覆うように操作盤Ｓが取り付けてある。操作盤Ｓは予め設けてある取付け孔を用いてボルトとナット１１，…を用いてねじ止め固定してある。操作盤Ｓの正面は台板８の前端部から僅かに後退した位置になっている。操作盤Ｓの下面には、プレス本体の制御盤と接続するためのケーブル６３が接続してあり、台板８の切欠部８ａを経て装着台１の後方からプレス本体までの距離を確保してある（図５参照）。
【００１７】
背板７と側板９，９によって三方を囲われた空間の高さのほぼ中央には棚板１３が取り付けてある。棚板１３は三方を背板７と側板９，９の内側に溶接により固着してある。底板３の上面には、浅底容器状の開口部を下向きにした状態の受け板１５が被せてある。これにより、キャスターを固定してあるナット６，…が隠され、体裁のよいものとなっている。
【００１８】
各板の表面は、防錆及びこの装着台を採用する工場やプレス装置との調和の観点から、複数色から選択した色彩の塗装を施しておくことが望ましい。組立に加熱手段を用いないものであれば、カラー樹脂クラッド鋼板を採用してもよい。色彩の選択により作業者の目を休め、精神的安定の向上に寄与するように配慮してあることもこの装着台の特徴である。
【００１９】
この装着台１は、図５に示すように、操作盤Ｓを装着台の台板上に固定してケーブル６３の伸縮範囲内で移動可能となっているので、操作盤Ｓを所望の位置に移動させて使用可能となる。作業者Ｗはプレス装置５１から離れた位置にあって全体の監視が可能となるので、危険性が極めて低くなるとともに、操作盤の操作位置も装着台の高さをこれまでよりも高くできるので操作が容易であり、腰痛の原因なども回避可能となる。プレス装置のその他の構成は、図６に示す従来のものと同様であるが、もちろん種々のプレス装置に対しても適用可能である。
【００２０】
以上説明した装着台１の組立は溶接によって行われると説明してあるが、この組立を全てボルト及びナットを用いて行うようにしてもよい。この場合、台板８が背板７と一体になっていたものを、独立体とすれば、すべての板材が平坦になるので梱包が容易となり、出荷時の容積を減少させることができる。また、上記の説明では、台板上の操作盤Ｓの後方は平坦面にしてあるが、前後方向の中程に段差を設けてその段差壁面に工具等の吊り下げ手段を設けるとともに、下段の平坦面に工具等を置くように構成してもよい。プレス装置と操作盤とを接続するケーブルに代えて無線式の操作盤を採用することも可能である。
【産業上の利用可能性】
【００２１】
本考案は、プレス装置の作業を容易にするための装置に関するものであり、これにより作業能率の向上が実現可能であるとともに、本考案にかかる装着台の製造は産業の発展に貢献するものである。
【図面の簡単な説明】
【００２２】
【図１】全体の構成を示す斜視図である。
【図２】同、正面図である。
【図３】同、平面図である。
【図４】同、側面図である。
【図５】本考案の使用状態を示す説明図である。
【図６】従来技術の使用状態を示す説明図である。
【符号の説明】
【００２３】
１          装着台
３          底板
５          キャスター
７          背板
７ａ、７ｂ  窓部
７ｃ，９ｂ  吊り下げ手段用取付け孔
８          台板
９          側板
９ａ        窓部
１３        棚板
Ｓ          操作盤
【図１】
0003117748.tif 000003
【図２】
0003117748.tif 000004
【図３】
0003117748.tif 000005
【図４】
0003117748.tif 000006
【図５】
0003117748.tif 000007
【図６】
0003117748.tif 000008